(57)【特許請求の範囲】
【請求項１】
電気機器にそれぞれ接続する一対のケーブルを結合し、各ケーブルに接続する電気機器の間で相互に信号の送受信ができるようにするコネクタであって、該コネクタは、
周囲が電磁界シールド材で構成された一対の筒状のホルダと、
前記一対のホルダのそれぞれに内蔵された電波・電気信号相互変換素子と、
前記一対のホルダ間に電波伝搬空間が形成されるように該一対のホルダを互いに近接して脱着自在に結合する電磁界シールド材から成る結合手段と
を備え、
前記電波・電気信号相互変換素子を、
前記一対のケーブルの中のいずれか一方のケーブルに接続するインターフェースと、
該インターフェースに接続する送信信号演算処理部と、
該送信信号演算処理部に接続する送信マイクロアレイアンテナと、
前記インターフェースに接続する受信信号演算処理部と、
該受信信号演算処理部に接続する受信マイクロアレイアンテナと
で構成し、
前記互いに結合する一対のホルダの中、一方のホルダに内蔵された送信マイクロアンテナ及び受信マイクロアンテナと、他方のホルダに内蔵された送信マイクロアンテナ及び受信マイクロアンテナとが、前記各ホルダに形成された窓を通じて、前記電波伝搬空間を挟んで、互いに対向して配置されていることを特徴とするコネクタ。
【請求項２】
前記結合手段をフレキシブルな電磁界シールド材により構成したことを特徴とする「請求項１」に記載のコネクタ。
【発明の詳細な説明】
【０００１】
【発明の属する技術分野】
本発明は各種の電気機器の結合に使用されるコネクタに関する。
【０００２】
【従来の技術】
従来のコネクタは、各種の電気機器に接続するケーブルを導電体の接触により結合する構成が一般的である。
【０００３】
【発明が解決しようとする課題】
導電体の接触による導電部分を有する従来のコネクタは、結合部に酸化、摩耗が生じやすく、しかも振動に弱いという問題点があった。
本発明は上記問題点を解決することを目的とするものである。
【０００４】
【課題を解決するための手段】
上記目的を達成するため、本発明は、インターフェイス部を有し、このインターフェイス部にケーブルが接続する電波・電気信号相互変換素子をそれぞれ内蔵する一対のホルダを備え、一対のホルダを電磁界シールド材から成る結合手段により近接して結合可能とし、該一対のホルダの結合近接部に外部の電磁界と遮断された電波伝搬空間を形成し、前記一対のホルダの電波・電気信号相互変換素子を前記電波伝搬空間を介して近接対向するようにしたものである。
また本発明は、前記結合手段をフレキシブルな電磁界シールド材により構成したものである。
【０００５】
【発明の実施の形態】
以下に本発明の実施の形態を添付した図面を参照して詳細に説明する。
（２）はコネクタであり、電波・電気信号相互変換素子（４）（６）が内蔵された筒状の一対のホルダ（８）（１０）と、該一対のホルダ（８）（１０）を脱着可能に結合する電磁界シールド材から成る結合手段（１２）とから構成されている。
【０００６】
前記ホルダ（８）（１０）は、電磁界シールド材から成る周壁部（１４）と側壁部（１６）（１８）とから構成され、ホルダ内部は、外部からの電磁界に対して遮断されている。前記ホルダ（８）（１０）の内部には、送信マイクロアレイアンテナ（２０）、受信マイクロアレイアンテナ（２２）、送信信号演算処理部（２４）、受信信号演算処理部（２６）、インターフェイス部（２８）、給電部（３０）が絶縁体から成る支持具を介して内置され、これらはチップ化されて図示の如く結線され、電波・電気信号相互変換素子（４）（６）を構成している。
【０００７】
前記ホルダ（８）（１０）の互いに近接して対向する側壁部（１８）（１８）には、窓が形成され、この窓に前記送信マイクロアレイアンテナ（２０）と受信マイクロアレイアンテナ（２２）が配置されている。前記ホルダ（８）（１０）の各端部には、フレキシブルな導電性プラスチックなどの電磁界シールド材から成るリング（３２）（３４）が固着されている。
【０００８】
（３６）は管状の結合キャップであり、フレキシブルな導電性プラスチックなどの電磁界シールド材から構成されている。前記結合キャップ（３６）は、これの一方の内周面を前記リング（３２）又は（３４）の外周面に脱着自在に圧入することができ、また、該キャップ（３６）の他方の内周面に前記リング（３２）又は（３４）の外周面を脱着自在に圧入することができるように構成されている。
【０００９】
前記リング（３２）（３４）と結合キャップ（３６）は、前記ホルダ（８）（１０）を脱着可能に近接結合するための結合手段（１２）を構成している。ホルダ（８）と（１０）とを結合する場合には、まず結合キャップ（３６）の一方をリング（３２）に圧入し、次に、キャップ（３６）の他方にリング（３４）を圧入する。リング（３２）（３４）と結合キャップ（３６）には、それぞれ嵌合時、容易に外れないように、ねじ状の凹凸部が形成されている。
【００１０】
ホルダ（８）（１０）を結合キャップ（３６）で結合したとき、該ホルダ（８）（１０）の結合部には、結合手段（１２）と、ホルダ（８）（１０）の側壁部（１８）（１８）とで囲まれた極めて薄い円盤状の閉じられた電波伝搬空間（３８）が形成さされる。ホルダ（８）（１０）の結合時、ホルダ（８）側の送受信マイクロアレイアンテナ（２０）（２２）は、ホルダ（１０）側の送受信マイクロアレイアンテナ（２０）（２２）と僅かな距離を存して対向する。
【００１１】
各ホルダ（８）（１０）の側壁部（１６）（１６）には、インターフェイス部（２８）に接続する端子（４０）（４２）が取り付けられ、該端子（４０）（４２）は、ケーブル（４４）（４６）を介して結合すべき電気機器（４８）の入出力部に接続している。
【００１２】
上記した構成において、ケーブル（４４）を通じて、ホルダ（８）内のインターフェイス部（２８）に入力された電気機器（４８）の電気信号は、送信信号演算処理部（２４）によって処理され、送信マイクロアレイアンテナ（２０）からマイクロ波あるいはミリ波の電波として発信される。
【００１３】
送信マイクロアレイアンテナ（２０）から発信された電波は、近接対向するホルダ（１０）内の受信マイクロアレイアンテナ（２２）に受信され、これに接続する受信信号演算処理部（２６）によって処理されて、インターフェイス部（２８）からケーブル（４６）に接続する電気機器等に送られる。演算処理部（２４）（２６）は、電波のマルチパス、フェージング処理を行い、エラー処理、フォーマット変換、チャネル抽出フイルタリングなどを行う。
【００１４】
【発明の効果】
本発明は、上述の如くコネクタの結合部には接触する伝導部分がないので、結合部の酸化、摩耗を防止でき、また、結合部の振動にも強く半永久的に使用できる。また、結合部は外部の電波からシールドされるので、ノイズに強く、且つ低消費電力である等の効果が存する。
【図面の簡単な説明】
【図１】本発明の説明図である。
【図２】コネクタの外観図である。
【符号の説明】
２      コネクタ
４      電波・電気信号相互変換素子
６      電波・電気信号相互変換素子
８      ホルダ
１０    ホルダ
１２    結合手段
１４    周壁部
１６    側壁部
１８    側壁部
２０    送信マイクロアレイアンテナ
２２    受信マイクロアレイアンテナ
２４    送信信号演算処理部
２６    受信信号演算処理部
２８    インターフェイス部
３０    給電部
３２    リング
３４    リング
３６    結合キャップ
３８    電波伝搬空間
４０    端子
４２    端子
４４    ケーブル
４６    ケーブル
【図１】
0004768915.tif 000002
【図２】
0004768915.tif 000003